(57)【要約】【課題】盗難景品や偽造景品などの不正景品を用いた不正行為を完全に防止すること。【解決手段】景品買取システム１において、景品買取機２０では、払出景品として買取依頼を受け付けた特殊景品の中に、景品識別情報を読取不能な不良景品或いは不正景品が含まれるならば、少なくとも不良景品の数量情報または不正景品の景品識別情報を含む返却景品情報を通知し、景品管理装置１０では、景品買取機２０によって通知された返却景品情報に基づいて、返却景品として交換依頼を受け付けた特殊景品の中に不正景品が含まれているか否かを判定する。【選択図】        図２
2007130253.tif 000002
【特許請求の範囲】
【請求項１】
払出景品として払出し取引が行われた特殊景品の景品識別情報に基づいて、前記払出景品として買取依頼を受け付けた特殊景品の中に、前記払出し取引が行われていない景品識別情報が記録された不正景品が含まれているか否かを判定し、該判定結果に応じて特殊景品の買取を行う景品買取システムであって、
前記払出景品として買取依頼を受け付けた特殊景品の中に、前記景品識別情報を読取不能な不良景品或いは前記不正景品が含まれるならば、少なくとも不良景品の数量情報または不正景品の景品識別情報を含む返却景品情報を通知する返却景品通知手段と、
前記返却景品通知手段によって通知された返却景品情報に基づいて、返却景品として交換依頼を受け付けた特殊景品の中に不正景品が含まれているか否かを判定する交換依頼正当性判定手段と
を備えたことを特徴とする景品買取システム。
【請求項２】
前記返却景品通知手段は、前記払出し取引を一意に特定する取引識別情報および／または前記買取依頼を受託した払出景品の景品識別情報をさらに含む返却景品情報を通知することを特徴とする請求項１に記載の景品買取システム。
【請求項３】
前記払出し取引で払出景品を受け取る景品受取人の画像を撮像する第１の画像撮像手段と、
前記払出景品として特殊景品の買取依頼を行う買取依頼人の画像を撮像する第２の画像撮像手段と、をさらに備え、
前記交換依頼正当性判定手段は、前記第１の画像撮像手段によって撮像された景品受取人の画像と、前記第２の画像撮像手段によって撮像された買取依頼人の画像とに基づいて、前記返却景品の交換依頼の正当性を判定することを特徴とする請求項１または２に記載の景品買取システム。
【請求項４】
前記交換依頼正当性判定手段によって返却景品として交換依頼を受け付けた特殊景品の中に不正景品が含まれると判定された場合に、該不正景品を用いた不正行為の態様を特定する不正態様特定手段をさらに備えたことを特徴とする請求項１、２または３に記載の景品買取システム。
【請求項５】
払出景品として払出し取引が行われた特殊景品の景品識別情報に基づいて、前記払出景品として買取依頼を受け付けた特殊景品の中に、前記払出し取引が行われていない景品識別情報が記録された不正景品が含まれているか否かを判定し、該判定結果に応じて特殊景品の買取を行う景品買取システムに用いられる景品買取方法であって、
前記払出景品として買取依頼を受け付けた特殊景品の中に、前記景品識別情報を読取不能な不良景品或いは前記不正景品が含まれるならば、少なくとも不良景品の数量情報または不正景品の景品識別情報を含む返却景品情報を通知する返却景品通知工程と、
前記返却景品通知工程によって通知された返却景品情報に基づいて、返却景品として交換依頼を受け付けた特殊景品の中に不正景品が含まれているか否かを判定する交換依頼正当性判定工程と
を含んだことを特徴とする景品買取方法。
【請求項６】
払出景品として払出し取引が行われた特殊景品の景品識別情報に基づいて、前記払出景品として買取依頼を受け付けた特殊景品の中に、前記払出し取引が行われていない景品識別情報が記録された不正景品が含まれているか否かを判定し、該判定結果に応じて特殊景品の買取を行う景品買取システムに用いられる景品買取プログラムであって、
前記払出景品として買取依頼を受け付けた特殊景品の中に、前記景品識別情報を読取不能な不良景品或いは前記不正景品が含まれるならば、少なくとも不良景品の数量情報または不正景品の景品識別情報を含む返却景品情報を通知する返却景品通知手順と、
前記返却景品通知手順によって通知された返却景品情報に基づいて、返却景品として交換依頼を受け付けた特殊景品の中に不正景品が含まれているか否かを判定する交換依頼正当性判定手順と
をコンピュータに実行させることを特徴とする景品買取プログラム。
【発明の詳細な説明】
【技術分野】
【０００１】
本発明は、払出景品として払出し取引が行われた特殊景品の景品識別情報に基づいて、払出景品として買取依頼を受け付けた特殊景品の中に、払出し取引が行われていない景品識別情報が記録された不正景品が含まれているか否かを判定し、該判定結果に応じて特殊景品の買取を行う景品買取システム、景品買取方法および景品買取プログラムに関する。
【背景技術】
【０００２】
従来より、パチンコ遊技やパチスロ遊技を提供する遊技店では、景品カウンタにおいて、遊技客が遊技で獲得した獲得玉／獲得メダルと引き換えに所望の景品を提供する景品交換サービスを行っている。
【０００３】
ここで、遊技店によって提供される景品種別には、日用品、食料品や装飾品などの一般景品の他に、遊技店とは独立した景品買取場での買取を前提とした特殊景品が存在する。この景品買取場には、特殊景品の買取を自動的に行う景品買取機が設置されており、かかる景品買取機では、遊技客によって挿入された特殊景品を種別ごとに計数し、該計数結果から換算された価値に相当する貨幣を払出す。
【０００４】
また、近年では、偽造景品や盗難景品を用いた不正行為を防止する観点から、払出景品として払出し取引が行われた特殊景品の景品識別情報に基づいて、払出景品として買取依頼を受け付けた特殊景品の中に、払出し取引が行われていない景品識別情報が記録された不正景品が含まれているか否かを判定し、該判定結果に応じて特殊景品の買取を行う景品買取システムが開発されている（例えば、特許文献１参照。）。
【０００５】
【特許文献１】特開２０００−１２６４３９号公報
【発明の開示】
【発明が解決しようとする課題】
【０００６】
しかしながら、上記した従来技術（特許文献１）では、払出景品として買取依頼を受け付けた特殊景品の真贋を確認することはできても、返却景品として交換依頼を受け付けた特殊景品の真贋を確認するすべがないため、盗難景品や偽造景品などの不正景品を返却景品に一部混在させたり、すべてを返却景品と偽って交換依頼を行う不正行為を看過することとなり、偽造景品や盗難景品を用いた不正行為を完全には防止することができないという問題点があった。
【０００７】
さらに、たとえ景品レシート（払出景品数などが印字されたレシート）と返却景品の照合を行う運用を採用していたとしても、返却景品の交換に景品レシートの付帯が義務付けられていない現状では、遊技客に景品レシートを紛失した旨を主張されたならば、返却景品として交換依頼を受け付けた特殊景品が不正景品であっても新たな特殊景品に交換せざるを得ない。
【０００８】
以上のことから、返却景品として交換依頼を受け付けた特殊景品の中に不正景品が含まれているか否か、すなわち返却景品として交換依頼を受け付けた特殊景品の真贋をいかにして確認するかが極めて重要な課題となっている。
【０００９】
そこで、本発明は、上述した従来技術による課題（問題点）を解消するためになされたものであり、返却景品として交換依頼を受け付けた特殊景品の真贋を確認し、もって盗難景品や偽造景品などの不正景品を用いた不正行為を完全に防止することができる景品買取システム、景品買取方法および景品買取プログラムを提供することを目的とする。
【課題を解決するための手段】
【００１０】
上述した課題を解決し、目的を達成するために、請求項１の発明に係る景品買取システムは、払出景品として払出し取引が行われた特殊景品の景品識別情報に基づいて、前記払出景品として買取依頼を受け付けた特殊景品の中に、前記払出し取引が行われていない景品識別情報が記録された不正景品が含まれているか否かを判定し、該判定結果に応じて特殊景品の買取を行う景品買取システムであって、前記払出景品として買取依頼を受け付けた特殊景品の中に、前記景品識別情報を読取不能な不良景品或いは前記不正景品が含まれるならば、少なくとも不良景品の数量情報または不正景品の景品識別情報を含む返却景品情報を通知する返却景品通知手段と、前記返却景品通知手段によって通知された返却景品情報に基づいて、返却景品として交換依頼を受け付けた特殊景品の中に不正景品が含まれているか否かを判定する交換依頼正当性判定手段とを備えたことを特徴とする。
【００１１】
また、請求項２の発明に係る景品買取システムは、上記の発明において、前記返却景品通知手段は、前記払出し取引を一意に特定する取引識別情報および／または前記買取依頼を受託した払出景品の景品識別情報をさらに含む返却景品情報を通知することを特徴とする。
【００１２】
また、請求項３の発明に係る景品買取システムは、上記の発明において、前記払出し取引で払出景品を受け取る景品受取人の画像を撮像する第１の画像撮像手段と、前記払出景品として特殊景品の買取依頼を行う買取依頼人の画像を撮像する第２の画像撮像手段と、をさらに備え、前記交換依頼正当性判定手段は、前記第１の画像撮像手段によって撮像された景品受取人の画像と、前記第２の画像撮像手段によって撮像された買取依頼人の画像とに基づいて、前記返却景品の交換依頼の正当性を判定することを特徴とする。
【００１３】
また、請求項４の発明に係る景品買取システムは、上記の発明において、前記交換依頼正当性判定手段によって返却景品として交換依頼を受け付けた特殊景品の中に不正景品が含まれると判定された場合に、該不正景品を用いた不正行為の態様を特定する不正態様特定手段をさらに備えたことを特徴とする。
【００１４】
また、請求項５の発明に係る景品買取方法は、払出景品として払出し取引が行われた特殊景品の景品識別情報に基づいて、前記払出景品として買取依頼を受け付けた特殊景品の中に、前記払出し取引が行われていない景品識別情報が記録された不正景品が含まれているか否かを判定し、該判定結果に応じて特殊景品の買取を行う景品買取システムに用いられる景品買取方法であって、前記払出景品として買取依頼を受け付けた特殊景品の中に、前記景品識別情報を読取不能な不良景品或いは前記不正景品が含まれるならば、少なくとも不良景品の数量情報または不正景品の景品識別情報を含む返却景品情報を通知する返却景品通知工程と、前記返却景品通知工程によって通知された返却景品情報に基づいて、返却景品として交換依頼を受け付けた特殊景品の中に不正景品が含まれているか否かを判定する交換依頼正当性判定工程とを含んだことを特徴とする。
【００１５】
また、請求項６の発明に係る景品買取プログラムは、払出景品として払出し取引が行われた特殊景品の景品識別情報に基づいて、前記払出景品として買取依頼を受け付けた特殊景品の中に、前記払出し取引が行われていない景品識別情報が記録された不正景品が含まれているか否かを判定し、該判定結果に応じて特殊景品の買取を行う景品買取システムに用いられる景品買取プログラムであって、前記払出景品として買取依頼を受け付けた特殊景品の中に、前記景品識別情報を読取不能な不良景品或いは前記不正景品が含まれるならば、少なくとも不良景品の数量情報または不正景品の景品識別情報を含む返却景品情報を通知する返却景品通知手順と、前記返却景品通知手順によって通知された返却景品情報に基づいて、返却景品として交換依頼を受け付けた特殊景品の中に不正景品が含まれているか否かを判定する交換依頼正当性判定手順とをコンピュータに実行させることを特徴とする。
【発明の効果】
【００１６】
本発明によれば、払出景品として買取依頼を受け付けた特殊景品の中に、景品識別情報を読取不能な不良景品或いは不正景品が含まれるならば、少なくとも不良景品の数量情報または不正景品の景品識別情報を含む返却景品情報を通知し、通知した返却景品情報に基づいて、返却景品として交換依頼を受け付けた特殊景品の中に不正景品が含まれているか否かを判定することとしたので、返却景品として交換依頼を受け付けた特殊景品の真贋を確認することができ、盗難景品や偽造景品などの不正景品を用いた不正行為を完全に防止することが可能な景品買取システム、景品買取方法および景品買取プログラムが得られるという効果を奏する。
【００１７】
また、本発明によれば、払出し取引を一意に特定する取引識別情報および／または買取依頼を受託した払出景品の景品識別情報をさらに含む返却景品情報を通知することとしたので、返却景品として交換依頼を受け付けた特殊景品の真贋をより効率よく確認することが可能な景品買取システムが得られるという効果を奏する。
【００１８】
また、本発明によれば、払出し取引で払出景品を受け取る景品受取人の画像を撮像し、さらに、払出景品として特殊景品の買取依頼を行う買取依頼人の画像を撮像し、このようにして撮像した景品受取人の画像と買取依頼人の画像に基づいて、返却景品の交換依頼の正当性を判定することとしたので、不正行為を事前に把握するとともに、不正行為が行われた確実な証拠を保持することが可能な景品買取システムが得られるという効果を奏する。
【００１９】
また、本発明によれば、返却景品として交換依頼を受け付けた特殊景品の中に不正景品が含まれると判定した場合に、該不正景品を用いた不正行為の態様を特定することとしたので、偽造景品や盗難景品を用いて不正を行う不正者に対して明確な論拠を持って対応を行うことが可能な景品買取システムが得られるという効果を奏する。
【発明を実施するための最良の形態】
【００２０】
以下に添付図面を参照して、本発明に係る景品買取システム（景品買取方法）の好適な実施例を詳細に説明する。なお、以下では、本発明に係る景品買取システムを実施例１として説明した後に、本発明に含まれる他の実施例を実施例２として説明する。
【実施例１】
【００２１】
以下の実施例１では、実施例１に係る景品買取システムの概要および特徴、システムを構成する各装置（景品管理装置、景品買取機）の構成および処理の流れを順に説明する。
【００２２】
［概要および特徴（実施例１）］
まず最初に、図１を用いて、実施例１に係る景品買取システムの概要および特徴を説明する。図１は、実施例１に係る景品買取システムの概要および特徴を説明するための概念図である。
【００２３】
同図に示すように、実施例１に係る景品買取システム１は、払出景品として払出し取引が行われた特殊景品の景品識別情報に基づいて、払出景品として買取依頼を受け付けた特殊景品の中に、払出し取引が行われていない景品識別情報が記録された不正景品が含まれているか否かを判定し、該判定結果に応じて特殊景品の買取を行うものである。
【００２４】
ここで、実施例１に係る景品買取システム１では、払出景品として買取依頼を受け付けた特殊景品の中に、景品識別情報を読取不能な不良景品或いは不正景品が含まれるならば、少なくとも不良景品の数量情報または不正景品の景品識別情報を含む返却景品情報を通知し、通知した返却景品情報に基づいて、返却景品として交換依頼を受け付けた特殊景品の中に不正景品が含まれているか否かを判定する点に主たる特徴があり、かかる一連の処理によって、返却景品として交換依頼を受け付けた特殊景品の真贋を確認し、もって盗難景品や偽造景品などの不正景品を用いた不正行為を完全に防止することができるようにしている。
【００２５】
この主たる特徴を具体的に説明すると、景品買取場５に設置された景品買取機２０では、払出景品として買取依頼を受け付けた特殊景品の中に、払出し取引が行われていない不正景品が含まれていたならば、不正景品の景品識別情報（図１の例で言えば、「０１３５」と「０１３７」）を含む返却景品情報を景品カウンタ３に配設された景品管理装置１０に通知する。なお、本実施例１では、買取依頼を受け付けた特殊景品の中に不良景品や不正景品が混在していた場合には、買取依頼を受け付けた全ての特殊景品を返却する運用を採用するが、不良景品および不正景品のみを返却する運用を採用しても良い。
【００２６】
このように、返却景品情報を景品管理装置１０に通知することで、景品カウンタ側では、景品買取場５で特殊景品の買取依頼を拒否され、返却された返却景品を事前に把握することができる。また、景品買取機２０によって返却された返却景品の交換依頼が行われなかった場合でも不正の事実を把握することができる。
【００２７】
その後、景品カウンタ３に設置された景品管理装置１０では、返却景品として交換依頼を受け付けたならば、景品買取機２０によって通知された返却景品情報（すなわち、不正景品の識別情報である「０１３５」と「０１３７」）に基づいて、当該交換依頼を受け付けた特殊景品の中に不正景品が含まれているか否かを判定することで、返却景品として交換依頼を受け付けた特殊景品の真贋を確認することができるようにしている。
【００２８】
したがって、上記した従来技術のように、盗難景品や偽造景品を返却景品に一部混在させたり、すべてを返却景品と偽って交換依頼を行う不正行為を看過するのではなく、返却景品として交換依頼を受け付けた特殊景品の真贋を確認することで、盗難景品や偽造景品などの不正景品を用いた不正行為を完全に防止することが可能になる。
【００２９】
［景品買取システムの構成］
続いて、実施例１に係る景品買取システムの各装置（景品買取機、景品管理装置）の構成を説明する。図２は、実施例１に係る景品買取システムの各装置の構成を示す機能ブロック図である。同図に示すように、この景品買取システム１は、予め登録処理された遊技客によって預け入れられた貯玉／貯メダルまたは獲得遊技媒体と引き換えに特殊景品を払出す払出し取引を行う景品管理装置１０と、払出景品として買取依頼を受け付けた特殊景品の中に不正景品もしくは不良景品が含まれるか否かを判定し、該判定結果に応じて特殊景品の買取を行う景品買取機２０とが相互に通信可能に接続されて構成される。
【００３０】
［景品買取機の構成］
このうち、景品買取機の構成を説明する。図２に示すように、景品買取機２０は、現金処理部２１と、景品情報読取部２２と、収納カセット２３と、通信制御ＩＦ部２４と、受信景品ＤＢ２５と、制御部２６とを備える。
【００３１】
現金処理部２１は、景品買取処理部２６ａの払出し指示を受けて貨幣を払出す処理部である。景品情報読取部２２は、特殊景品に内蔵されたＩＣチップなどの記録媒体から当該特殊景品に付された景品識別情報（以下、適宜「景品ＩＤ」と言う。）を読み取る処理部である。
【００３２】
また、収納カセット２３は、買取取引で買い取った特殊景品を収納するものであり、特殊景品の種別（例えば、「大」と「小」）ごとに設けられ、景品買取機２０に着脱可能に構成される。通信制御ＩＦ部２４は、各種装置（例えば、景品管理装置１０）との間で各種通信の制御を行う処理部である。
【００３３】
受信景品ＤＢ２５は、景品管理装置１０から受信した払出景品の景品識別情報を含む払出景品情報を記憶するデータベースである。具体的なデータ構成例は、後述する払出景品ＤＢ１６（図４参照）と同様であり、払出し取引「取引ＩＤ」ごとに、当該払出し取引で払い出された払出景品の景品識別情報「景品ＩＤ」を対応付けて記憶している。
【００３４】
制御部２６は、ＯＳ（Operating System）などの制御プログラム、各種の処理手順などを規定したプログラムおよび所要データを格納するための内部メモリを有し、これらによって種々の処理を実行する処理部であり、特に本発明に密接に関連するものとしては、景品買取処理部２６ａおよび返却景品通知部２６ｂを備える。
【００３５】
このうち、景品買取処理部２６ａは、払出景品として買取依頼を受け付けた特殊景品の買取を行う処理部である。具体的には、受信景品ＤＢ２５に記憶された払出景品の景品ＩＤに基づいて、払出景品として買取依頼を受け付けた特殊景品の中に、払出し取引が行われていない景品ＩＤが記録された不正景品が含まれているか否かを判定し、該判定結果に応じて特殊景品の買取を行う。
【００３６】
これを具体的に説明すると、払出景品の買取依頼を受け付けた場合、すなわち景品挿入口（図示せず）から特殊景品を受け入れた場合に、景品情報読取部２２は、受け入れた特殊景品から景品ＩＤや景品種別等の景品情報を順次読み取る。
【００３７】
このとき、特殊景品から「景品ＩＤ」を読み取ることが可能であり、かつ受信景品ＤＢ２５に記憶された景品ＩＤの中に該当する景品ＩＤが存在すれば、景品買取処理部２６ａは、当該特殊景品を「払出景品」と識別するとともに、この「景品ＩＤ」に対応する「取引ＩＤ」を特定する。また、特殊景品から「景品ＩＤ」を読み取ることができないならば、当該特殊景品を「不良景品」と識別する（図３参照）。
【００３８】
一方、特殊景品から「景品ＩＤ」を読み取ることは可能であるが、受信景品ＤＢ２５に記憶された景品ＩＤの中に該当する景品ＩＤが存在しなければ、景品買取処理部２６ａは、当該特殊景品を「不正景品」と識別する。例えば、図３に示すように、払出し取引で景品ＩＤ「０００１〜０００５」と「１００１〜１００２」の払出景品が払い出されたとした時、これらの景品ＩＤ以外の景品ＩＤ（例えば、「０１３５」や「０１３７」など）を有する特殊景品を検知したならば、それらの特殊景品を「不正景品」と識別する。
【００３９】
そして、買取依頼を受け付けた特殊景品すべてについてかかる識別処理が終了した後、買取依頼を受け付けた特殊景品の中に返却すべき特殊景品（すなわち、不良景品や不正景品）がなければ、景品買取処理部２６ａは、買取依頼を受け付けた払出景品の価値分の貨幣を払出す払出し指示を現金処理部２１に行うとともに、買い取った特殊景品の景品ＩＤに係る取引済みフラグの更新指示を含む買取景品情報を景品管理装置１０に通知する。なお、買取依頼を受け付けた特殊景品の中に不良景品や不正景品が混在していた場合には、景品買取処理部２６ａは、買取依頼を受け付けた全ての特殊景品を返却する。
【００４０】
図２の説明に戻り、返却景品通知部２６ｂは、景品買取処理部２６ａによって不良景品或いは不正景品が含まれると検知されたならば、不良景品の数量情報および／または不正景品の景品識別情報を含む返却景品情報を通知する処理部である。なお、本実施例１では、買取依頼を受け付けた特殊景品の中に不良景品や不正景品が混在していた場合には、買取依頼を受け付けた全ての特殊景品を返却する運用を採用したので、払出景品と識別された特殊景品の景品ＩＤも返却景品情報に含めて通知されることとなる。
【００４１】
例えば、図３に示すように、景品ＩＤを読取不能な不良景品が含まれる場合には、当該取引ＩＤでの不良景品数を含む返却景品情報、払出し取引が行われていない景品ＩＤが記録された不正景品が含まれている場合には、当該不正景品の景品ＩＤ「０１３５」と「０１３７」を含む返却景品情報、また、これら不良景品および不正景品の双方が含まれる場合には、当該取引ＩＤでの不良景品数と不正景品の景品ＩＤを含む返却景品情報を景品管理装置１０に通知する。
【００４２】
このように、返却景品情報を景品管理装置１０に通知することで、景品カウンタ側では、景品買取場５で特殊景品の買取依頼を拒否され、返却された返却景品を事前に把握することができる。また、景品買取機２０によって返却された返却景品の交換依頼が行われなかった場合でも不正の事実を把握することができる。
【００４３】
［景品管理装置の構成］
次に、景品管理装置の構成を説明する。図２に示すように、景品管理装置１０は、遊技客用タッチパネル１１と、従業員用タッチパネル１２と、計数レシート処理部１３と、会員カード処理部１４と、通信制御ＩＦ部１５と、払出景品ＤＢ１６と、返却景品ＤＢ１７と、制御部１８とを備える。なお、この景品管理装置１０は、特殊景品から景品ＩＤを読み取る読取機構および交換依頼を受け付けた返却景品を回収する回収機構が既存の機構に付加された景品払出機３０と、会員ＩＤごとに貯玉数を記憶管理する会員管理Ｔ／Ｃ４０と相互に通信可能に接続されている。
【００４４】
このうち、遊技客用タッチパネル１１は、液晶パネルやディスプレイなど表示デバイスで構成された遊技客用の表示入力手段であり、例えば、遊技客の獲得遊技媒体数や貯玉数／貯メダル数を表示したり、表示画面上で景品選択の入力を受け付けたりする。なお、従業員用タッチパネル１２についても同様の表示デバイスで構成されるが、表示内容（例えば、業務指示の表示など）および指示受付内容（例えば、複数の計数レシートの合算指示や余り玉／メダルの取込指示など）は、必ずしも同一とは限らない。
【００４５】
計数レシート処理部１３は、計数レシートにバーコードで印字された計数情報を読み取るバーコードリーダである。かかる計数レシートとは、遊技客が獲得した玉／メダルを計数機で計数したときに、引き換えに受け取るものであり、「計数日時」「計数値」「レシートＮｏ，」等の計数情報が目視可能に印刷されるとともに、バーコードとして記録されている。
【００４６】
会員カード処理部１４は、カード挿入口から挿入された会員カードからデータの読み取り等を行う制御ユニットであり、会員カードから会員ＩＤを読み取って制御部１８に出力する。また、通信制御ＩＦ部１５は、各種装置（例えば、景品買取機２０、景品払出機３０や会員管理Ｔ／Ｃ４０など）との間で各種通信の制御を行う処理部である。
【００４７】
払出景品ＤＢ１６は、払出し取引で払い出した払出景品の景品識別情報を含む払出景品情報を記憶するデータベースであり、払出し取引ごとに、当該払出し取引で払い出された払出景品の景品識別情報を対応付けて記憶している。例えば、図４に示すように、取引ＩＤ「Ａ００１」に、景品種別が「大」である「５つ」の払出景品の景品ＩＤ「０００１〜０００５」と景品種別が「小」である「２つ」の払出景品の景品ＩＤ「１００１〜１００２」を対応付けて記憶している。なお、図４に示す例では、個々の払出景品の買取状況および買取取引自体の進捗状況を管理するために、買取取引が終了したか否かを示す取引済みフラグが払出景品の景品ＩＤおよび取引ＩＤごとに設けられている。
【００４８】
返却景品ＤＢ１７は、返却景品通知部２６ｂによって通知された返却景品情報を記憶するデータベースであり、景品買取機２０によって返却された不良景品の数量情報および／または不正景品の景品識別情報を記憶している。例えば、図５−１に示すように、取引ＩＤ「Ａ００１」に、不正景品の景品ＩＤ「０１３５」および「０１３７」、買取依頼時の不良景品数「０個」、払出景品の景品ＩＤ「０００１〜０００５」および「１００１〜１００２」を対応付けて記憶している。
【００４９】
制御部１８は、ＯＳ（Operating System）などの制御プログラム、各種の処理手順などを規定したプログラムおよび所要データを格納するための内部メモリを有し、これらによって種々の処理を実行する処理部であり、特に本発明に密接に関連するものとしては、景品交換処理部１８ａと、交換依頼正当性判定部１８ｂと、不正態様特定部１８ｃとを備える。
【００５０】
このうち、景品交換処理部１８ａは、予め登録処理された遊技客（会員）によって預け入れられた貯玉／貯メダルまたは獲得遊技媒体と引き換えに特殊景品を払出すように制御する処理部である。
【００５１】
この景品交換処理について具体的に説明すると、景品交換処理部１８ａは、計数レシートの読取操作を受け付けたならば、計数レシートに印字されたバーコードを計数レシート処理部１３を通じて読み取って獲得遊技媒体数を取得し、また、遊技客（会員）によって会員カードが挿入されたならば、遊技客（会員）の貯玉数／貯メダル数を記憶管理する会員管理Ｔ／Ｃ４０から、会員カード処理部１４によって読み取られた会員ＩＤに該当する貯玉数／貯メダル数を取得する。
【００５２】
そして、遊技客から遊技客用タッチパネル１２を介して景品の選択を受け付けたならば、景品交換処理部１８ａは、選択を受け付けた景品を払出すように制御する。具体的には、日用品、食料品や装飾品などの「一般景品」が選択された場合には、選択を受け付けた景品の払出しを促す画面を従業員用タッチパネル１２に表示し、「特殊景品」が選択された場合には、特殊景品の払出しを景品払出機３０に指示する。
【００５３】
払出し取引終了後、すなわち景品払出機３０によって特殊景品が遊技客に払い出されたならば、景品交換処理部１８ａは、当該払出し取引で払い出された払出景品の景品ＩＤを含む払出景品情報を払出景品ＤＢ１６に登録するとともに、該払出景品情報を景品買取機２０に通知する。
【００５４】
交換依頼正当性判定部１８ｂは、返却景品の交換依頼を受け付けた場合に、当該交換依頼の正当性を判定する処理部である。具体的には、返却景品ＤＢ１７に記憶された返却景品情報に基づいて、返却景品として交換依頼を受け付けた特殊景品の中に不正景品が含まれているか否かを判定する。
【００５５】
この交換依頼正当性判定処理を具体的に説明すると、返却景品の買取依頼を受け付けた場合、すなわち景品払出機３０で特殊景品を受け入れた場合に、この景品払出機３０は、受け入れた特殊景品から景品ＩＤを順次読み取る。
【００５６】
このとき、特殊景品から「景品ＩＤ」を読み取ることが可能であり、かつ返却景品ＤＢ１７に記憶された景品ＩＤの中に該当する景品ＩＤが存在すれば、交換依頼正当性判定部１８ｂは、当該景品ＩＤに対応する「取引ＩＤ」を特定し、さらに、その景品ＩＤが払出景品の景品ＩＤと一致したならば、当該特殊景品を「払出景品」と識別する。
【００５７】
一方、特殊景品から「景品ＩＤ」を読み取ることができない場合には、交換依頼正当性判定部１８ｂは、当該特殊景品を「不良景品」と識別する。
【００５８】
また、特殊景品から「景品ＩＤ」を読み取ることが可能であるが、返却景品ＤＢ１７に記憶された景品ＩＤの中に該当する景品ＩＤが存在しない場合、或いはその景品ＩＤが不正景品の景品ＩＤと一致する場合には、当該特殊景品を「不正景品」と識別する。
【００５９】
その後、交換依頼を受け付けた特殊景品すべてについてかかる識別処理が終了した後、交換依頼正当性判定部１８ｂは、当該返却景品の交換依頼の正当性（すなわち、返却景品ＤＢ１７に記憶された「不正景品」と一致する景品ＩＤを有する特殊景品が含まれないか、さらに不良景品数に整合性があるか）を判定する。かかる不良景品数の整合性とは、総払出景品数の整合性と複数時点での不良景品数の整合性を指す。
【００６０】
これを具体的に説明すると、不良景品数を加味した総払出景品数の整合性が取れていないケースとは、払出し取引で払出された総払出景品数よりも交換依頼を受け付けた総返却景品数が多いケース、すなわち払出し取引で払出された総払出景品数から交換依頼時に検知された払出景品数を減算した減算値が「不良景品数」未満である状況を指し（図６−１参照）、一方、不良景品数を加味した総払出景品数の整合性が取れているケースとは、払出し取引で払出された総払出景品数が交換依頼を受け付けた総返却景品数と同数或いは総返却景品数よりも多いケース、すなわち払出し取引で払出された総払出景品数から交換依頼時に検知された払出景品数を減算した減算値が「不良景品数」以上である状況を指す（図６−２参照）。
【００６１】
また、複数時点での不良景品数の整合性が取れていないケースとは、買取依頼時の不良景品数と交換依頼時の不良景品数が相違するケース、すなわち買取依頼時の不良景品数が交換依頼時の不良景品数よりも多い状況（図７−１参照）並びに買取依頼時の不良景品数が交換依頼時の不良景品数よりも少ない状況（図７−２参照）を指し、一方、複数時点での不良景品数の整合性が取れているケースとは、買取依頼時の不良景品数と交換依頼時の不良景品数が同数である状況（図７−３参照）を指す。
【００６２】
ここで、返却景品ＤＢ１７に記憶された「不正景品」と一致する景品ＩＤを有する特殊景品が含まれず、かつ不良景品数に整合性がある場合には、交換依頼正当性判定部１８ｂは、当該交換依頼を受託して返却景品を交換し、返却景品ＤＢ１７に記憶された該当取引ＩＤに対応する交換済みフラグを立て、返却景品に代えて新たに払出した払出景品の景品ＩＤを含む払出景品情報を再登録するとともに、該払出景品情報を景品買取機２０に通知する。
【００６３】
一方、返却景品ＤＢ１７に記憶された「不正景品」と一致する景品ＩＤを有する特殊景品が含まれるか、或いは返却景品ＤＢ１７に記憶された「不正景品」と一致する景品ＩＤを有する特殊景品が含まれずとも不良景品数に整合性がない場合には、交換依頼正当性判定部１８ｂは、当該交換依頼に正当性なし、すなわち交換依頼を受け付けた特殊景品の中に「不正景品」が含まれると判定し、不正態様特定部１８ｃに対して「不正景品」を用いた不正行為の態様を特定するように依頼する。
【００６４】
不正態様特定部１８ｃは、返却景品として交換依頼を受け付けた特殊景品の中に不正景品が含まれると判定された場合に、該不正景品を用いた不正行為の態様を特定する処理部である。
【００６５】
例えば、図５−１に示す返却景品情報が返却景品ＤＢ１７に記憶されており、同様の返却景品の交換依頼を受け付けた場合には、払出し取引で払出された払出景品「０００１〜０００５」と「１００１〜１００２」を抜かずにそのまま不正景品「０１３５」と「０１３７」を加えて、返却景品の交換依頼を行う不正行為（図８−１参照）と特定する。
【００６６】
また、図５−２に示す返却景品情報が返却景品ＤＢ１７に記憶されており、同様の返却景品の交換依頼を受け付けた場合には、払出し取引で払出された払出景品の一部「０００４〜０００５」を抜き、その代わりに不正景品「０１３５」と「０１３７」を加えることによって、総払出景品数の整合性を取り、正当な交換依頼と欺く不正行為（図８−２参照）と特定する。
【００６７】
これらの不正行為は、いずれも景品ＩＤが偽造されていることから、比較的精巧な偽造景品もしくは遊技店内もしくは景品買取場から盗まれた盗難景品と洞察することもできる。また、当然のことながら、すべてを返却景品と偽って交換依頼を行う不正行為（図８−３参照）についても同様に特定することができる。
【００６８】
また、図５−３に示す返却景品情報が返却景品ＤＢ１７に記憶されており、同様の返却景品の交換依頼を受け付けた場合には、交換依頼を受け付けた総返却景品数「１２個」が払出し取引で払出された総払出景品数「７個」よりも多く、また、その不正景品から景品ＩＤが読み取れないことから、払出し取引で払出された払出景品「０００１〜０００５」と「１００１〜１００２」に比較的粗雑な偽造景品を加えて、返却景品の交換依頼を行う不正行為と特定する。
【００６９】
このように、返却景品として交換依頼を受け付けた特殊景品の中に不正景品が含まれると判定された場合に、該不正景品を用いた不正行為の態様を特定することで、偽造景品や盗難景品を用いて不正を行う不正者に対して明確な論拠を持って対応を行うことができる。
【００７０】
［各種処理の手順］
次に、実施例１に係る景品買取システムの各種処理の手順を説明する。なお、ここでは、獲得遊技媒体または貯玉／貯メダルと引き換えに景品交換を行う（１）景品交換処理を説明してから、景品買取機によって返却される返却景品の情報を通知する（２）返却景品情報通知処理を説明し、最後に、返却景品の交換依頼の正当性を判定する（３）交換依頼正当性判定処理を説明する。
【００７１】
（１）景品交換処理
図９は、実施例１に係る景品交換処理の手順を示すフローチャートである。この「景品交換処理」は、計数レシートの読取操作を受け付けた場合、もしくは遊技客（会員）によって会員カードが挿入された場合に、開始されることとなる。
【００７２】
同図に示すように、計数レシートの読取操作を受け付けたならば（ステップＳ９０１肯定）、景品交換処理部１８ａは、計数レシートに印字されたバーコードを計数レシート処理部１３を通じて読み取って獲得遊技媒体数を取得する（ステップＳ９０２）。
【００７３】
また、遊技客（会員）によって会員カードが挿入されたならば（ステップＳ９０１否定かつステップＳ９０３肯定）、景品交換処理部１８ａは、遊技客（会員）の貯玉数／貯メダル数を記憶管理する会員管理Ｔ／Ｃ４０から、会員カード処理部１４によって読み取られた会員ＩＤに該当する貯玉数／貯メダル数を取得する（ステップＳ９０４）。
【００７４】
そして、遊技客から遊技客用タッチパネル１２を介して景品の選択を受け付けたならば（ステップＳ９０５）、景品交換処理部１８ａは、選択を受け付けた景品を払出すように制御する（ステップＳ９０６）。具体的には、日用品、食料品や装飾品などの「一般景品」が選択された場合には、選択を受け付けた景品の払出しを促す画面を従業員用タッチパネル１２に表示し、「特殊景品」が選択された場合には、特殊景品の払出しを景品払出機３０に指示する。
【００７５】
払出し取引終了後、すなわち景品払出機３０によって特殊景品が遊技客に払い出されたならば、景品交換処理部１８ａは、当該払出し取引で払い出された払出景品の景品ＩＤを含む払出景品情報を払出景品ＤＢ１６に登録するとともに（ステップＳ９０７）、該払出景品情報を景品買取機２０に通知し（ステップＳ９０８）、処理を終了する。
【００７６】
このようにして、獲得遊技媒体または貯玉／貯メダルと引き換えに景品払出機３０から特殊景品（払出景品）が払出されることとなる。
【００７７】
（２）返却景品情報通知処理
図１０は、実施例１に係る返却景品情報通知処理の手順を示すフローチャートである。この「返却景品情報通知処理」は、払出景品の買取依頼を受け付けた場合に、開始されることとなる。
【００７８】
同図に示すように、払出景品の買取依頼を受け付けた場合、すなわち景品挿入口（図示せず）から特殊景品を受け入れた場合（ステップＳ１００１肯定）に、景品情報読取部２２は、受け入れた特殊景品から景品ＩＤを順次読み取る（ステップＳ１００２）。
【００７９】
このとき、特殊景品から「景品ＩＤ」を読み取ることが可能であり、かつ受信景品ＤＢ２５に記憶された景品ＩＤの中に該当する景品ＩＤが存在すれば（ステップＳ１００３肯定かつステップＳ１００４肯定）、景品買取処理部２６ａは、当該特殊景品を「払出景品」と識別するとともに（ステップＳ１００５）、この「景品ＩＤ」に対応する「取引ＩＤ」を特定する（ステップＳ１００６）。
【００８０】
一方、特殊景品から「景品ＩＤ」を読み取ることができないならば（ステップＳ１００３否定）、景品買取処理部２６ａは、当該特殊景品を「不良景品」と識別する（ステップＳ１００７）。
【００８１】
また、特殊景品から「景品ＩＤ」を読み取ることは可能であるが、受信景品ＤＢ２５に記憶された景品ＩＤの中に該当する景品ＩＤが存在しなければ（ステップＳ１００３肯定かつステップＳ１００４否定）、景品買取処理部２６ａは、当該特殊景品を「不正景品」と識別する（ステップＳ１００８）。
【００８２】
このとき、景品買取機２０では、かかる識別処理が買取依頼を受け付けた特殊景品すべてについて終了するまで（ステップＳ１００９）、上記のステップＳ１００２〜Ｓ１００８までの処理が回帰的に行われる。
【００８３】
そして、買取依頼を受け付けた特殊景品すべてについてかかる識別処理が終了した後（ステップＳ１００９肯定）、買取依頼を受け付けた特殊景品の中に返却すべき特殊景品がなければ（ステップＳ１０１０肯定）、景品買取処理部２６ａは、買取依頼を受け付けた払出景品の価値分の貨幣を払出す払出し指示を現金処理部２１に行うとともに（ステップＳ１０１１）、買い取った特殊景品の景品ＩＤに係る取引済みフラグの更新指示を含む買取景品情報を景品管理装置１０に通知し（ステップＳ１０１２）、処理を終了する。
【００８４】
また、買取依頼を受け付けた特殊景品の中に返却すべき特殊景品が含まれるならば（ステップＳ１０１０否定）、景品買取処理部２６ａは、買取依頼を受け付けた全ての特殊景品を返却し（ステップＳ１０１３）、返却景品通知部２６ｂは、不良景品の数量情報および／または不正景品の景品識別情報を含む返却景品情報を景品管理装置１０に通知し（ステップＳ１０１４）、処理を終了する。
【００８５】
このように、返却景品情報を景品管理装置１０に通知することで、景品カウンタ側では、景品買取場５で特殊景品の買取依頼を拒否され、返却された返却景品を事前に把握することができる。
【００８６】
（３）交換依頼正当性判定処理
図１１は、実施例１に係る交換依頼正当性判定処理の手順を示すフローチャートである。この「交換依頼正当性判定処理」は、返却景品の買取依頼を受け付けた場合に開始されることとなる。
【００８７】
同図に示すように、返却景品の買取依頼を受け付けた場合、すなわち景品払出機３０で特殊景品を受け入れた場合（ステップＳ１１０１肯定）に、この景品払出機３０は、受け入れた特殊景品から景品ＩＤを順次読み取る（ステップＳ１１０２）。
【００８８】
このとき、特殊景品から「景品ＩＤ」を読み取ることが可能であり、かつ返却景品ＤＢ１７に記憶された景品ＩＤの中に該当する景品ＩＤが存在すれば（ステップＳ１１０３肯定かつステップＳ１１０４肯定）、交換依頼正当性判定部１８ｂは、当該景品ＩＤに対応する「取引ＩＤ」を特定し（ステップＳ１１０５）、さらに、その景品ＩＤが払出景品の景品ＩＤと一致したならば（ステップＳ１１０６否定）、当該特殊景品を「払出景品」と識別する（ステップＳ１１０７）。
【００８９】
一方、特殊景品から「景品ＩＤ」を読み取ることができない場合（ステップＳ１１０３否定）には、交換依頼正当性判定部１８ｂは、当該特殊景品を「不良景品」と識別する（ステップＳ１１０８）。
【００９０】
また、特殊景品から「景品ＩＤ」を読み取ることが可能であるが、返却景品ＤＢ１７に記憶された景品ＩＤの中に該当する景品ＩＤが存在しない場合（ステップＳ１１０３肯定かつステップＳ１１０４否定）、或いはその景品ＩＤが不正景品の景品ＩＤと一致する場合（ステップＳ１１０６肯定）には、当該特殊景品を「不正景品」と識別する（ステップＳ１１０９）。
【００９１】
このとき、景品管理装置１０では、かかる識別処理が交換依頼を受け付けた特殊景品すべてについて終了するまで（ステップＳ１１１０）、上記のステップＳ１１０２〜Ｓ１１０９までの処理が回帰的に行われる。
【００９２】
その後、交換依頼を受け付けた特殊景品すべてについてかかる識別処理が終了した後（ステップＳ１１１０肯定）、交換依頼正当性判定部１８ｂは、当該返却景品の交換依頼の正当性（すなわち、返却景品ＤＢ１７に記憶された「不正景品」と一致する景品ＩＤを有する特殊景品が含まれないか、さらに不良景品数に整合性があるか）を判定する（ステップＳ１１１１およびＳ１１１２）。
【００９３】
ここで、返却景品ＤＢ１７に記憶された「不正景品」と一致する景品ＩＤを有する特殊景品が含まれず、かつ不良景品数に整合性がある場合（ステップＳ１１１１否定かつステップＳ１１１２肯定）には、交換依頼正当性判定部１８ｂは、当該交換依頼を受託して返却景品を交換し（ステップＳ１１１３）、返却景品ＤＢ１７に記憶された該当取引ＩＤに対応する交換済みフラグを立て（ステップＳ１１１４）、返却景品に代えて新たに払出した払出景品の景品ＩＤを含む払出景品情報を再登録するとともに（ステップＳ１１１５）、該払出景品情報を景品買取機２０に通知する（ステップＳ１１１６）。
【００９４】
一方、返却景品ＤＢ１７に記憶された「不正景品」と一致する景品ＩＤを有する特殊景品が含まれるか（ステップＳ１１１１肯定）、或いは返却景品ＤＢ１７に記憶された「不正景品」と一致する景品ＩＤを有する特殊景品が含まれずとも不良景品数に整合性がない場合（ステップＳ１１１１否定かつステップＳ１１１２否定）には、不正態様特定部１８ｃは、「不正景品」を用いた不正行為の態様を特定し（ステップＳ１１１７）、不正行為が行われた旨を報知するとともに、特定した不正態様を従業員用タッチパネル１２に表示し（ステップＳ１１１８）、処理を終了する。
【００９５】
上述してきたように、実施例１に係る景品買取システム１によれば、払出景品として買取依頼を受け付けた特殊景品の中に、景品識別情報を読取不能な不良景品或いは不正景品が含まれるならば、少なくとも不良景品の数量情報または不正景品の景品識別情報を含む返却景品情報を通知し、通知した返却景品情報に基づいて、返却景品として交換依頼を受け付けた特殊景品の中に不正景品が含まれているか否かを判定するように構成したので、返却景品として交換依頼を受け付けた特殊景品の真贋を確認することができ、盗難景品や偽造景品などの不正景品を用いた不正行為を完全に防止することが可能になる。
【実施例２】
【００９６】
さて、これまで本発明の実施例について説明したが、本発明は上述した実施例以外にも、上記特許請求の範囲に記載した技術的思想の範囲内において種々の異なる実施例にて実施されてもよいものである。
【００９７】
例えば、払出し取引で払出景品を受け取る景品受取人の画像を撮像し、さらに、払出景品として特殊景品の買取依頼を行う買取依頼人の画像を撮像し、このようにして撮像した景品受取人の画像と買取依頼人の画像に基づいて、返却景品の交換依頼の正当性を判定するようにしても良い。
【００９８】
これを具体的に説明すると、景品管理装置１０では、払出し取引で払出景品を払出す際に景品受取人（遊技客）を撮像し、該撮像した画像を払出景品情報とともに払出景品ＤＢ１６に登録する。また、景品買取機２０では、払出景品として特殊景品の買取依頼を行った買取依頼人を撮像し、該撮像した画像を返却景品情報とともに景品管理装置１０に通知する。
【００９９】
そして、景品管理装置１０では、景品受取人（遊技客）の画像と買取依頼人の画像を従業員用タッチパネル１２に表示することによって従業員に視認させるか、或いはこれらの画像を用いて人物認証処理を行い、景品受取人と買取依頼人が同一人物であるか否かを判断または判定することで、両者が同一人物でなければ、不正行為を事前に把握するとともに、不正行為が行われた確実な証拠を保持することができる。
【０１００】
また、実施例１では、景品管理装置１０と景品買取機２０の間の通信網が直接接続された実施例について説明したが、本発明はこれに限定されるものではなく、複数店舗の遊技店と協働するために、景品管理装置１０と景品買取機２０の間の通信網を所定のセンタを経由するように構成しても良い。
【０１０１】
なお、実施例１では、景品払出機に読取機構や回収機構を設けて、返却景品を読み取るようにしたが、専用の景品チェック機を設置しても良い。すなわち、かかる景品チェック機は、景品管理装置１０と相互に通信可能に接続された構成であり、特殊景品を回収する機構と、該回収した特殊景品に記録された景品情報（例えば、景品ＩＤや景品種別などの情報）を読み取る機能と、該読み取った景品情報を景品管理装置１０に通知する機能を有するものであれば良い。
【０１０２】
また、本実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【０１０３】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【産業上の利用可能性】
【０１０４】
以上のように、本発明に係る景品買取システム、景品買取方法および景品買取プログラムは、返却景品として交換依頼を受け付けた特殊景品の真贋を確認し、もって盗難景品や偽造景品などの不正景品を用いた不正行為を完全に防止することができる景品買取システム、景品買取方法および景品買取プログラムに適している。
【図面の簡単な説明】
【０１０５】
【図１】実施例１に係る景品買取システムの概要および特徴を説明するための概念図である。
【図２】実施例１に係る景品買取システムの各装置の構成を示す機能ブロック図である。
【図３】返却景品通知部の処理内容を説明するための説明図である。
【図４】払出景品ＤＢに記憶される情報の構成例を示す図である。
【図５−１】返却景品ＤＢに記憶される情報の構成例を示す図である。
【図５−２】返却景品ＤＢに記憶される情報の構成例を示す図である。
【図５−３】返却景品ＤＢに記憶される情報の構成例を示す図である。
【図６−１】交換依頼正当性判定部の処理内容を説明するための説明図である。
【図６−２】交換依頼正当性判定部の処理内容を説明するための説明図である。
【図７−１】交換依頼正当性判定部の処理内容を説明するための説明図である。
【図７−２】交換依頼正当性判定部の処理内容を説明するための説明図である。
【図７−３】交換依頼正当性判定部の処理内容を説明するための説明図である。
【図８−１】不正行為の態様の一例を説明するための説明図である。
【図８−２】不正行為の態様の一例を説明するための説明図である。
【図８−３】不正行為の態様の一例を説明するための説明図である。
【図９】実施例１に係る景品交換処理の手順を示すフローチャートである。
【図１０】実施例１に係る返却景品情報通知処理の手順を示すフローチャートである。
【図１１】実施例１に係る交換依頼正当性判定処理の手順を示すフローチャートである。
【符号の説明】
【０１０６】
１    景品買取システム
３    景品カウンタ
５    景品買取場
１０    景品管理装置
１１    遊技客用タッチパネル
１２    従業員用タッチパネル
１３    計数レシート処理部
１４    会員カード処理部
１５    通信制御ＩＦ部
１６    払出景品データベース
１７    返却景品データベース
１８    制御部
１８ａ  景品交換処理部
１８ｂ  交換依頼正当性判定部
１８ｃ  不正態様特定部
２０    景品買取機
２１    現金処理部
２２    景品情報読取部
２３    収納カセット
２４    通信制御ＩＦ部
２５    受信景品データベース
２６    制御部
２６ａ  景品買取処理部
２６ｂ  返却景品通知部
３０    景品払出機
４０    会員管理Ｔ／Ｃ
【図１】
2007130253.tif 000003
【図２】
2007130253.tif 000004
【図３】
2007130253.tif 000005
【図４】
2007130253.tif 000006
【図５−１】
2007130253.tif 000007
【図５−２】
2007130253.tif 000008
【図５−３】
2007130253.tif 000009
【図６−１】
2007130253.tif 000010
【図６−２】
2007130253.tif 000011
【図７−１】
2007130253.tif 000012
【図７−２】
2007130253.tif 000013
【図７−３】
2007130253.tif 000014
【図８−１】
2007130253.tif 000015
【図８−２】
2007130253.tif 000016
【図８−３】
2007130253.tif 000017
【図９】
2007130253.tif 000018
【図１０】
2007130253.tif 000019
【図１１】
2007130253.tif 000020